(57)【要約】【課題】  シート材の情報を効率よく検出することができると共に情報検出精度が良好なシート材情報検出装置を提供する。【解決手段】  外力印加手段２によりシート材Ｐに印加された外力に起因する信号を信号検出手段３により検出すると共に、信号検出手段３から入力される出力信号に含まれる特定の領域の周波数成分をフィルタ１０１により除去もしくは抽出し、このフィルタ１０１からの出力信号に基づいてシート材情報検出手段１０２はシート材Ｐに関する情報を検出するようにする。【選択図】      図1
2005351676.tif 000002
【特許請求の範囲】
【請求項１】
シート材の情報を検出するシート材情報検出装置において、
前記シート材に外力を印加する外力印加手段と、
前記外力に起因する前記シート材からの信号を検出する信号検出手段と、
前記信号検出手段からの出力信号に含まれる特定の領域の周波数成分を除去または抽出するフィルタと、
を備え、
前記フィルタを作用させて得られる信号に基づいてシート材に関する情報を検出することを特徴とするシート材情報検出装置。
【請求項２】
前記フィルタからの出力信号に基づき、前記シート材の情報を検出するシート材情報検出手段を備えたことを特徴とする請求項１記載のシート材情報検出装置。
【請求項３】
前記シート材情報検出手段は、前記フィルタからの出力信号を、予め求められた出力信号とシート材情報との関係に関するデータと照らし合わせることにより、前記シート材の情報を検出することを特徴とする請求項２記載のシート材情報検出装置。
【請求項４】
前記外力印加手段は、物理的な力を印加するものであることを特徴とする請求項１記載のシート材情報検出装置。
【請求項５】
前記外力は衝突速度の異なる複数回の衝撃であることを特徴とする請求項１記載のシート材情報検出装置。
【請求項６】
前記外力は、周波数成分の異なる振動であることを特徴とする請求項１記載のシート材情報検出装置。
【請求項７】
前記信号検出手段は、圧電素子を備えることを特徴とする請求項１記載のシート材情報検出装置。
【請求項８】
前記フィルタが、バンドパスフィルタであることを特徴とする請求項１記載のシート材情報検出装置。
【請求項９】
前記シート材の情報はシート材の種類であることを特徴とする請求項１乃至８のいずれか１項に記載のシート材情報検出装置。
【請求項１０】
請求項１乃至９のいずれか１項に記載のシート材情報検出装置と、前記シート材情報検出装置の検出結果に基づいて複数の処理の中から前記検出結果に対応する処理を選択して前記シートの処理を実行するシート材処理部と、を備えたことを特徴とするシート材処理装置。
【発明の詳細な説明】
【技術分野】
【０００１】
本発明は、シート材に関する情報を検出するシート材情報検出装置及びシート材処理装置に関する。
【背景技術】
【０００２】
近年、シート材に関する情報を検出するシート材情報検出装置が注目されており、例えば、このようなシート材情報検出装置をシート材処理装置の一例である画像形成装置に設け、このシート材情報検出装置によりシート材の種類を判別するようにしたものが提案されている（特許文献１参照。）。
【０００３】
【特許文献１】特開２０００−３０１８０５号公報
【発明の開示】
【発明が解決しようとする課題】
【０００４】
ところで、例えば画像形成装置において使用されるシート材などのシート材は多種多様化の一途をたどっており、現在、一般的に用いられるものでも、木質繊維をベースとした普通紙、樹脂材料によるＯＨＰシート等のフィルム材、木質繊維に綿繊維など副材料を混ぜて抄紙したボンド紙など枚挙にいとまがない。
【０００５】
一方で、画像形成装置においては高画質化、省エネ化の要求が高まり、シート材の情報に応じて画像形成条件（プリントモード）を変更する制御が進んでいる。このため、シート材情報検出装置としてはシート材の情報の検出を精度良く、また短時間で行う必要がある。
【０００６】
そこで、本発明は、シート材の情報を精度良く、かつ効率よく検出することのできるシート材情報検出装置及びシート材処理装置を提供することを目的とするものである。
【課題を解決するための手段】
【０００７】
本発明は、上記事情を考慮してなされたものであり、シート材の情報を検出するシート材情報検出装置において、前記シート材に外力を印加する外力印加手段と、前記外力に起因する前記シート材からの信号を検出する信号検出手段と、前記信号検出手段からの出力信号に含まれる特定の領域の周波数成分を除去または抽出するフィルタと、を備え、前記フィルタを作用させて得られる信号に基づいてシート材に関する情報を検出することを特徴とするものである。
【発明の効果】
【０００８】
本発明のように、印加された外力に起因するシート材からの信号を検出した信号検出手段からの出力信号に含まれる特定の領域の周波数成分をフィルタにより除去又は抽出し、このフィルタを作用させて得られるシート材に関する情報を検出することにより、シート材の情報を精度良く、かつ効率よく検出することができる。
【発明を実施するための最良の形態】
【０００９】
以下、本発明を実施するための最良の形態について図面を参照して説明する。
【００１０】
図１は、本発明の実施の形態に係るシート材情報検出装置及びシート材処理装置の構成を示す図であり、図１において、２０は外力印加部材、２は外力印加部材２０によりシート材Ｐに外力を印加する外力印加手段である外力印加部、３は外力に起因してシート材Ｐから出力される信号を検出する信号検出手段である信号検出部、１０１は信号検出部３からの出力信号に含まれる特定の領域の周波数成分を除去もしくは抽出するフィルタ、１０２はフィルタ１０１からの出力信号に基づいてシート材Ｐに関する情報を検出するシート材情報検出手段であるシート材情報検出部である。
【００１１】
なお、４は外力印加部２と（シート材を介して）対向する位置に配置されたシート材変位部材であり、このシート材変位部材４により外力が印加された際のシート材Ｐの位置を制御するようにしている。
【００１２】
図２は、このような構成のシート材情報検出装置におけるシート材情報検出動作を説明する図であり、シート材情報を検出する場合には、まずシート材に外力を加える（Ｓ１）。次に、信号検出部３により、外力に起因してシート材から、例えば電気的な波形として出力される信号を検出する（Ｓ２）。次に、フィルタ１０１により、検出した信号から特定の領域の周波数成分を除去もしくは抽出し（Ｓ３）、この検出結果（例えば電気信号）に基づきシート材情報検出部１０２はシート材に関する情報を検出した後、例えばシート材処理装置の不図示のＣＰＵに出力する（Ｓ４）。
【００１３】
次に、信号検出部３により検出した信号から、特定の領域の周波数成分をフィルタ１０１により除去もしくは抽出する工程について説明する。
【００１４】
図３は、本発明の信号の取り扱いを説明する図であり、本実施の形態のシート材情報検出装置を用いて、外力として、ある質量の外力印加部材２０を所定の速度でシート材に衝突させた際の、信号検出部３（本実施の形態では圧電素子である）からの電気的な出力波形、ならびに出力波形を高速フーリエ変換（以下ＦＦＴ）によって周波数解析した例を示している。
【００１５】
なお、図３の（ａ）は、質の異なる代表的な３種類のシート材、ならびにシート材が無い場合の出力波形の例であり、図３の（ｂ）は、これらの波形をＦＦＴにより周波数成分に対応する信号レベルに変換した例である。
【００１６】
ここで、情報を検出するための被検出シート材としては、普通紙（ゼロックス社  ＸＥＲＯＸ  ４０２４（７５ｇ）  以下ＸＸ７５と表記）、テクスチャー加工の施された紙（Ｋｉｍｂｅｒｌｙ−Ｃｌａｒｋ  Ｃｏｒｐｏｒａｔｉｏｎ社ＮＥＥＮＡＨ  Ｐａｐｅｒ  ＣＬＡＳＳＩＣ  Ｌａｉｄ  Ｗｒｉｔｉｎｇ  以下ＮＣＬ７５と表記）、ＯＨＰシート（住友スリーエム社  ＣＧ３３００  以下ＯＨＰと表記）の３つのものを用いている。
【００１７】
なお、図３の（ａ）は３種類のシート材、ならびにシート材が無い場合の出力波形を重ね書きして示した（表記上の見やすさの為、ピークの時間的位置をずらしてグラフ化している）ものであり、この図から明らかなように、信号検出部３からの出力波形は、外力印加に対応した電圧ピークとなって現れ、シート材の有無、及びシート材の種類によって異なる。
【００１８】
そして、このようなそれぞれの波形に対してＦＦＴ解析を行った場合、特に２ｋＨｚから１０ｋＨｚ前後の周波数領域でシート材によって信号レベルが大きく異なる。そこで、本実施の形態においては、信号検出部３により検出した信号から特定の領域の周波数成分を除去もしくは抽出し、このような周波数領域における信号レベルの差を検出することにより、シート材に関する情報を効率的に検出するようにしている。
【００１９】
なお、検出した信号から特定の領域の周波数成分を除去もしくは抽出する手段としては任意のものを用いることができるが、好ましいものとして電気的なフィルタ（図１の１０１）を用いるようにしている。ここで、フィルタとしては所定のカットオフ周波数をもつローパスフィルタまたはハイパスフィルタ、ならびに所定の通過域のバンドパスフィルタが好ましく用いられる。
【００２０】
また当然ながら、信号検出部３からの出力波形は、シート材のみならず、印加する外力や、信号検出部３の特性、とりわけこれらの材質や寸法によって変わることから、取得（検出）したい情報の種類に応じて、フィルタの設計値（カットオフ周波数や通過域、減衰量など）も適当なものを選ぶ必要がある。
【００２１】
一方、外力印加部材２０などシート材に接触する部材として金属材料（ステンレス鋼など）を用い、シート材として紙やＯＨＰシートなどを対象とする場合は、概ね以上で述べた周波数領域の信号を抽出することが有効である。このため、フィルタの通過域を２ｋＨｚから１０ｋＨｚ、より好ましくは４ｋＨｚから７ｋＨｚ程度とするのが良い。
【００２２】
そして、このようなフィルタ通過後の信号のレベルを比較することなどにより、シート材の情報を効率的に検出できる。なお、後述するように、異なる複数の外力を印加する場合などは、それぞれに対応して得られる出力に好適な通過域のフィルタを用いることは言うまでも無い。
【００２３】
ところで、シート材に関する情報の検出は、検出結果に基づき人が行っても、検出結果を、シート材情報検出部１０２に入力することに基づき自動的に行うようにしても良い。ここで、上述したシート材情報検出部１０２は、信号検出部３の検出結果をデータと照らし合わせることによりシート材の情報を検出するようにしても良い。
【００２４】
つまり、シート材情報検出部１０２は、これらの検出結果（信号）を、予め求められ、不図示のメモリ部に記憶されている、出力信号及び出力信号に対応するシート材の種別や型番、状態変化、印刷状態、重送等の情報が記録されたデータテーブルと照らし合わせて、シート材などを判定した情報として出力するようにしてもよい。
【００２５】
なお、シート材の信号が、環境条件、搬送の状態などに応じて異なる場合は、夫々に対応した複数のテーブルを用意してこれをもとに判定を行うと良い。また、信号検出部３を複数個設けたり、外力の印加条件を変えて複数回の信号検出を行う場合などは夫々に対応したデータテーブルを設けるようにすると良い。
【００２６】
さらに、シート材に関して別の手段（たとえば人為的にセットされる用紙型番の入力や、別途設けられたセンサからの信号など）をあわせて判定してもよい。さらに、これら複数の検出結果や判定結果を組み合わせて判断する為の論理回路を設けることも好ましい。
【００２７】
また、検出される信号に対して、例えばシート材が搬送されていない場合の出力信号を差し引くなどの信号処理を行ってもよい。なお、このような信号処理を行なう処理回路は、シート材が挟持されていない時に、外力により信号検出部が受けた場合の第１の信号と、シート材を挟持している時に、外力により信号検出部が受けた場合の第２の信号とを用いて信号処理を行なうことができる。
【００２８】
ところで、本実施の形態においてシート材とは、記録媒体（例えば、普通紙、光沢紙、コート紙、再生紙、ＯＨＰなど）や原稿を意味するものとする。また、「シート材に関する情報」とは、シート材の種別や、型番、シート材の密度や、シート材の厚さや、シート材表面の凹凸や、シート材の状態変化や、印刷状態や、重送の有無あるいは重送枚数や、残数、あるいはシート材の有無、シート材の重なり位置などを意味するものとする。
【００２９】
特に、本発明では、シート材の振動特性や、表面凹凸における周期構造など、周波数成分として特徴的な挙動を示す情報の検出に効果的である。このようなものの例として、シート材の材質や剛性、寸法、凹凸周期（紙などで抄紙工程において意図的にテクスチャーとして形成されるものを含む）、反発、等が挙げられる。
【００３０】
一方、外力印加部２としては、シート材に接触することに基づきシート材に外力を加える外力印加部材２０（図１参照）を備えたものでも、空気等の気体を吹き付けるような構成のものでも良い。なお、外力印加部材２０は駆動源によって駆動するようにすると良い。
【００３１】
また、本実施の形態で用いられる外力は、電磁気、熱あるいは熱による気体などの媒体の膨張／収縮、レーザー光などの光、電磁波、音波、あるいは振動、力学的力など、どのようなものでも用いることができる。さらに、外力は衝撃力として加えても良いが、振動として加えても良い。
【００３２】
衝撃力を加える場合の駆動源としては、外力印加部材２０をシート材Ｐの上方に保持し、適宜、外力印加部材２０をシート材Ｐに落下させることができるようにしたものや、機械的あるいは電磁気的エネルギーにより外力印加部材２０を衝突させるようにしたもの（例えば、ばねなどの機械的手段、ソレノイドやボイスコイルなどの電磁気的な手段）、を挙げることができ、好ましい例としてはモータ、あるいはシート材の搬送系に用いられるローラなどの回転力をギア、カム等の変換機構により方向や大きさを変換して用いることも安定性の点で好ましい。
【００３３】
また、振動を加える場合の駆動源としては、外力印加部材２０を振動させる加振手段（例えば、圧電アクチュエータ、静電アクチュエータ、あるいは電磁気的な音響発生器など）を挙げることができる。
【００３４】
また、衝撃力を加える場合、離れた位置からシート材Ｐに外力印加部材２０を衝突させる方法だけでなく、シート材Ｐに外力印加部材２０を接触させた状態のままで、外力印加部材２０からシート材Ｐに衝撃力を加える方法を取ることもできる。
【００３５】
つまり、外力印加部材２０による外力の印加は、外力印加部材２０をシート材Ｐに接触させた状態で行うが、外力を印加するときだけ外力印加部材２０をシート材Ｐに接触させても、外力を印加する前から既に外力印加部材２０をシート材Ｐに接触させておいても良い。
【００３６】
なお、前者の場合であって、且つシート材を介して外力印加部材２０と信号検出部３とが対向する位置にある場合には、外力印加の際に外力印加部材２０と信号検出部３との距離が変わる（短くなる）ことになる。また、外力印加部材２０（外力印加手段２）によりシート材に力が印加されると、シート材がわずかに変形する（くぼみ等ができる）ことがあるので、外力は、シート材の端などに印加するとよい。
【００３７】
ところで、上述のような外力の印加は、搬送されている状態のシート材に行っても、一時停止されている状態のシート材に行っても良い。ここで、前者のように搬送されている状態のシート材に外力印加をする場合にはシート材の表面（外力印加部側）の表面状態を短時間で検出することが容易となるメリットがあり、後者のように一時停止されている状態のシート材に外力印加をする場合には、シート材搬送に伴うノイズが無い分だけ検出を正確に行えるというメリットがあり、どちらの状態で行うかは必要に応じて選択すれば良い。
【００３８】
また、外力としては上述したように複数種類のものが挙げられるが、１種類の外力だけを用いても、複数種類の外力を用いても良い。さらに、１種類の外力を用いる場合、１回の外力印加だけでシート材の情報検出をしても、複数回の外力印加を行うことによりシート材の情報検出をしても良い。
【００３９】
ここで、外力印加を複数回行った場合、例えば１種類の外力を複数回印加したり、複数種類の外力を印加したりした場合には、複数のデータが得られるために識別精度もより高くなる。そして、このような複数回の外力印加は、１つの外力印加部材により行っても、複数の外力印加部材により行っても良く、さらに外力の強度（衝撃力や振動の強度）は等しくしても異ならせても良い。なお、このように複数回の外力印加を行う場合には、一旦加えた外力によるシート材の揺れが十分減衰した後、あるいはある所定値以下になった後に次の外力を加えるのが好ましい。
【００４０】
さらに、複数回の外力印加を行う際の好ましい態様として以下のものが挙げられる。
・  衝突速度の異なる複数回の衝撃
・  周波数成分の異なる振動
このような外力の印加により、高分子よりなるシート材の粘弾性の差を効率的に出力信号に反映することが可能となる為、シート材の、より詳細な情報を出力できる。また、このような複数回の外力印加を行う場合、信号検出部３からも複数の情報を出力できる。
【００４１】
ところで、情報検出を精度良く行うには、シート材Ｐを挟んで外力印加部材２０に対向する位置に部材（以下、“外力受け部材”とする）を配置してその外力を受けるようにすると良い。
【００４２】
なお、シート材変位部材４を外力印加部材２０に対向するように配置した場合（図１参照）には、シート材変位部材４を外力受け部材として機能させれば良く、つまり、別途外力受け部材は設けず、このシート材変位部材４によって外力を受ければ良く、シート材変位部材４を外力印加部材２０に対向しない位置に配置した場合には、外力印加部材２０に対向する位置に外力受け部材を設ければ良い。このようなシート材変位部材４（外力受け部材）は、シート材との接触面を平面としてもよいし、曲面としてもよい。
【００４３】
また、シート材変位部材４（外力受け部材）の、シート材を介して外力印加部材２０の先端と対向する位置などに凹部を設けることで、外力が一点に集中するのを分散させることも、素子寿命などの点で好ましい。またこのような凹部を設けることにより、シート材が外力印加によって凹部に撓むことによる外力の吸収を検出することが可能となり好ましい例である。
【００４４】
上述したシート材変位部材４（外力受け部材）は、シート材を変位させることができるものであればどのような構造のものでも良い。例えば、空気などの緩衝層を介してシート材を変位させるようなものでも、変位部材をシート材搬送路内に突設させてシート材に接触させることによりシート材を変位させるようなものでも良い。但し、シート材変位部材４を外力受け部材としても利用する場合には、後者である必要がある。
【００４５】
そして、このシート材変位部材４（外力受け部材）によって、信号検出部３に対するシート材の位置（つまり、シート材Ｐと信号検出部３との間隔）を規定しても、外力印加部材２０に対するシート材の位置（つまり、シート材Ｐと外力印加部材２０との間隔）を規定しても、外力受け部材に対するシート材の位置（つまり、シート材Ｐと外力受け部材との間隔）を規定しても良い。
【００４６】
なお、シート材変位部材４（外力受け部材）に対するシート材の位置を規定するようにした場合には、外力印加に起因したシート材の撓みの量を一定にしてこれによる外力吸収量を一定にできるので、印加した外力に対して安定した検出が可能になる。より好ましくは、このシート材変位部材４によってシート材Ｐが外力受け部材に接触するようにすると良い。このような制御のためには、搬送されるシート材に対して外力受け部材を押し付けるような配置とする。あるいは、シート材変位手段４によりシート材を外力受け部材に対して押さえ込む方向の変位を与える構成とすることもできる。
【００４７】
また、外力印加時にシート材が変位する領域を制限する制限部材を設けることも好ましい。図４は、このような制限部材３０１を設けたシート材情報検出装置の例を示すものであり、この場合、シート材Ｐを、シート材変位部材４により所定の位置に変位させる際、制限部材３０１にシート材Ｐを押し付けるようにすることが好ましい。なお、４１は、このように制限部材３０１にシート材Ｐを押し付けるための押し付けローラであり、この押し付けローラ４１は、バネ４２によりシート材側に付勢されている。
【００４８】
ここで、制限部材３０１には所定の形状の穴３０２を設けるようにしている。さらに好ましい態様として、制限部材３０１の穴３０２内にシート材変位部材４（外力受け部材）を設けると共に、このシート材変位部材４の上面を、制限部材の穴３０２の上面より所定の深さｄだけ後退させた位置に配置する。
【００４９】
そして、このような配置とすることで、シート材Ｐに対する外力印加時、シート材Ｐにたわみを発生させ、シート材Ｐの状態による、このたわみの挙動の違いを検出する事ができる。一例として、圧縮コイルバネ３０３などを駆動源として、外力印加部材２０をあるストローク量を持ってシート材Ｐに衝突させ（第１の衝突）、さらにその衝突でシート材Ｐをたわませ（たわみ過程）、さらにシート材変位部材４に衝突させる（第２の衝突）工程で外力印加を行う。
【００５０】
このような工程では、第１の衝突時の外力印加部材２０の速度（Ｖ１）が撓み過程においてシート材Ｐによる減速を受ける。この減速量は、シート材Ｐの厚みや材質などの特性によって異なる為、第２の衝突時の速度（Ｖ２）はシート材Ｐの情報を反映したものとなる。このため、シート材変位部材４に信号検出部３を設けておくと、その出力はシート材の情報を反映したＶ２に依存することになる。
【００５１】
なお、この構成の場合は、特にシート材Ｐのたわみ剛性、ならびにそれに関連のある情報を検出するのに有効であり、例えば、シート材厚さ、材質、密度、さらにシート材の張力や、含水による剛度変化などを検出できる。
【００５２】
なお、ｄ、Ｗの好ましい範囲は、０．１ｍｍ＜ｄ＜２．０ｍｍ、５ｍｍ＜Ｗ＜２０ｍｍ程度の範囲であり、この程度の範囲において、記録媒体（例えば、普通紙、光沢紙、コート紙、再生紙、ＯＨＰなど）の情報を好適に検出できる。
【００５３】
また、シート材Ｐの状態や位置（外力印加部２や信号検出部３とシート材との相互作用）を検出するシート材センサが付加されていることも好ましい。ここで、「シート材Ｐの状態や位置（外力印加部２や信号検出部３とシート材との相互作用）」とは、外力印加部２や信号検出部３とシート材との接触状況や、シート材の先端位置や、シート材の通過状態や、外力印加部２や信号検出部３がシート材から受ける圧力や、シート材の変形などを意味する。
【００５４】
なお、このようなシート材センサとしては、接触や変形を検出する機械式センサや光学式センサ、圧力を検出する圧力センサ、振動を検出する加速度センサなどを挙げることができる。また、このようなシート材センサは外力印加部２や信号検出部３に直接接合されていてもよいし、外力印加部２や信号検出部３の近傍に設置されていてもよく、用いるセンサに応じて適宜設計できる。
【００５５】
そして、このシート材センサからの信号をフィードバックすることで、外力印加部２や信号検出部３の制御の適正化を図ることができ、より高い精度でのシート情報の検出が可能となる。また、このシート材センサからの信号を基準として、外力印加の開始・終了のタイミングや強度などの条件を決定することもできる。
【００５６】
また、外力印加部２や信号検出部３とシート材との相互作用、例えばシート材からの圧力、シート材の変形などを検出し、これを本実施の形態の外力印加による信号と複合的に用いるようにすれば、シート材のより多くの情報を得ることができる。
【００５７】
一方、上述した信号検出部３は、圧電特性を有する無機材料あるいは有機材料にて構成すれば良く、具体的にはＰＺＴ（チタン酸ジルコン酸鉛）やＰＬＺＴ、ＢａＴｉＯ３、ＰＭＮ−ＰＴ（Ｐｂ（Ｍｇ１／３Ｎｂ２／３）Ｏ３−ＰｂＴｉＯ３）などの無機材料や有機圧電体材料にて構成すれば良い。このような圧電材料を用いることにより、外力は電圧信号として検出される。
【００５８】
なお、この信号検出部３を配置する位置は、外力に起因する信号を検出できる位置であればどこでも良く、例えば、図１や図４に示すように、シート材Ｐを挟んで外力印加部２に対向する位置であっても、外力印加部２の側の位置であっても良い。
【００５９】
なお、図４の場合、信号検出部３は、外力受け部材としてのシート材変位部材４を支持しているので、信号検出部３はシート材変位部材４が受けた外力を検出することとなる。そして、このように配置した場合、印加した外力に対するシート材Ｐからの出力を効率的に検出することができる。
【００６０】
また、外力印加部２の側に信号検出部３が設けられている場合は、板バネ等の弾性部材（不図示）を外力印加部２に取り付けておき、外力印加時における弾性部材の振動や位置変化を検出するようにしたものや、外力印加部自体に信号検出部を搭載したものを挙げることができる。
【００６１】
そして、このように配置した場合は、印加した外力に対するシート材の反発を効率的に検出できる。なお、シート材Ｐを挟んで外力印加部２に対向する側と、外力印加部２の側との両方に信号検出部を配置しても良い。また、外力印加部２に信号検出部を搭載した場合など、シート材との接触時に外力印加部自体の変化（たとえば共振周波数、変形など）を検出してもよい。さらには印加した外力の停止後に残存する残響や、その減衰特性などを検出することも含まれる。
【００６２】
なお、信号検出部３は、１次元配列でも２次元配列でもよいが、後者の場合であって、且つシート材（例えば記録媒体）幅と同一あるいはそれ以上の長さのセンサ部を有していればシート材の幅の検出も可能である。勿論、複数個のセンサ部により、記録媒体の幅を検出することも可能である。
【００６３】
以上説明したように、シート材Ｐに印加された外力に起因するシート材Ｐからの信号を検出した信号検出部３からの出力信号に含まれる特定の領域の周波数成分をフィルタ１０１により除去又は抽出し、このフィルタ１０１からの出力信号に基づいて、言い換えればフィルタ１０１を作用させてシート材Ｐに関する情報を取得（検出）することにより、シート材Ｐの情報を精度良く、かつ効率よく検出することができる。
【００６４】
ところで、本実施の形態に係るシート材処理装置は、図１において符号Ｂで示すシート材情報検出装置と、シート材情報検出装置Ｂの検出結果に基づいて、つまり検出結果を加味してシート材Ｐの処理を行うシート材処理部Ｃとによって構成される。
【００６５】
ここで、シート材処理部Ｃとしては、画像を形成する画像形成部や、画像の読み取りを行うスキャナ部や、その他の装置を挙げることができ、またこのようなシート材処理部Ｃを備えたシート材処理装置としては、複写機、プリンタ、ＦＡＸ、画像読取り用のスキャナ、あるいは自動原稿送り装置を挙げることができる。
【００６６】
そして、シート材情報検出装置Ｂの検出結果に基づき、シート材処理装置に設けられた不図示のＣＰＵ（制御部）が印字モードの変更（例えば、画像形成条件の調整、搬送に用いるローラへの押圧力の調整などの搬送条件の調整、印字の中止、記録媒体の搬送の停止、警告信号の発生など）を行うようにすると良い。つまり、シート材情報検出装置Ｂの検出結果に基づき、複数の処理の中から検出結果に対応する処理を選択して実行するようにすると良い。ここで、ＣＰＵとしては、シート材処理装置の内部に設けたものを用いても、外部に設けたものを用いても良いが、内部に設けたものを用いた場合には、外部とのデータ信号の送受信を省略できる。
【００６７】
（実施例）
以下、実施例に沿って本発明を更に詳細に説明する。
【００６８】
本実施例では、図１に示す構造の紙種検出装置（シート材情報検出装置）を作製し、電子写真装置（シート材処理装置）に搭載した。
【００６９】
ここで、この紙種検出装置においては、シート材搬送路Ａを一対の搬送ガイド１０ａ，１０ｂによって形成し、そのシート材搬送路Ａには、シート材Ｐを搬送する搬送ローラ（シート材搬送手段）１ａ，１ｂ，１ｃ，１ｄを配置した。なお、符号１１は、ローラ１ａの近傍に配置されたシート材センサであり、このシート材センサ１１によりシート材Pの通過や斜行などの変位を検出するようにした。
【００７０】
また、ローラ１ａ，１ｂとローラ１ｃ，１ｄとの間には外力印加部２や信号検出部３を配置した。すなわち、搬送ガイド１０ａの一部に切り欠き部分を設け、この切り欠き部分を下方より覆うようにブラケット１２を配置し、このブラケット１２に緩衝材１３や検出センサ（信号検出手段）３や変位部材（シート材変位手段）４を取り付けた。つまり、緩衝材１３には検出センサ３を支持させ、検出センサ３には変位部材４を支持させて、変位部材４は搬送路中に突出させた。
【００７１】
なお、本実施例において、変位部材４の突出量はシート材搬送路Ａの幅（変位部材４が配置されている部分における幅）の１／４とし、本実施例の装置内において搬送されるシート材がどの種類（紙やＯＨＰシート）であっても変位部材４に接触するようにした。また、この変位部材４は、図示のような所謂かまぼこ型をした金属部材にて形成し、シート材Ｐに接触する面が、用紙搬送方向上流端及び下流端において、搬送ガイド１０ａの切り欠き部の搬送路Ａに対する開口面より後退し、中央部において、搬送ガイド１０ｂの方へ突出するようにした。ここで、符号１４は押し圧調整器である。
【００７２】
また、別の態様として、このような接触面を全体として搬送ガイド１０ａの切り欠き部の搬送路Ａに対する開口面より下方へ後退した構成とし、外力印加によってシート材を撓ませて、外力印加時のみシート材と変位部材４とが接触する構成とすることも好ましい例である。
【００７３】
なお、検出センサ３は、圧電体であるＰＺＴ（チタン酸ジルコン酸鉛）を銀電極により上下を挟まれる構造とし、圧電体のサイズは長さ２０ｍｍ、幅５ｍｍ、厚さ０．３ｍｍとした。また、緩衝材１３にはゴム材を用いると共に、この緩衝材１３を搬送ガイド１０ａと検出センサ３との間に配置しており、これにより搬送ガイド１０ａから検出センサ３への機械的振動の伝播を低減でき、検出精度を高めることができる。
【００７４】
ところで、図１ではブラケット１２は搬送ガイド１０ａに固定されているが、もちろんこれに限られるものではなく、適当な剛性と固定精度が得られるのであれば、搬送ガイド１０ｂ側のブラケット２１１に取り付けたり、これらのブラケット１２，２１１を一体化して搬送ガイド１０ｂに取り付けたり、搬送ガイド１０ａ，１０ｂ以外の部分（例えば、筐体やフレーム）に取り付けたりしても良い。
【００７５】
また、本実施例では、シート材Ｐが変位部材４に接触するのを補助するため、紙押え１５を設けている。ここで、この紙押さえ１５は弾力性を有する板材と固定材により構成され、板材の弾性によりシート材を変位部材４に押し付ける方向に力を加えることができるようになっている。なお、図１では図示しないが、紙押さえ１５は外力印加と連動して動く機構を有し、不要な際は搬送経路外へ退避するようになっている。また、本実施例ではシート材と変位部材４は接触式としたが、これは必ずしも必須ではなく、離れていてもよい。
【００７６】
一方、変位部材４に対向する位置には、シート材Ｐに外力を印加するための外力印加部２を配置した。なお、本実施例では、搬送ガイド１０ｂに切り欠き部分を設け、この切り欠き部分にブラケット２１１を配置し、このブラケット２１１に略筒状のガイド部材２１５を取り付け、そのガイド部材２１５の内部に、シート材Ｐと垂直となる方向に移動自在にロッド２１７を配置した。そして、このロッド２１７の先端（シート材側先端）に押圧部材（外力印加部材）２０を取り付け、押圧部材２０の上方には鍔状のストッパ部材２１４を設け、さらにストッパ部材２１４とガイド部材２１５との間にはコイルスプリング２１０を縮設した。
【００７７】
また、ブラケット２１１には、モータ２１３を取り付け、その出力軸にはカム２１２を取り付けて、ロッド２１７の端部に取り付けた突出部２１８にカム２１２が干渉し得るようにした。なお、符号２１６はガイド部材内の空気によるダンピングを低減する為の圧抜き孔を示す。
【００７８】
なお、上述した押圧部材２０（ロッド２１７）はコイルスプリング２１０及びカム２１２の作用により、所定の速度でシート材Ｐに衝突して外力を加える。そのときの外力の大きさは、たとえば押圧部材２０が非拘束の状態であれば、押圧部材２０の質量ｍと衝突速度Ｖの積「ｍＶ」と、押圧部材２０とシート材Ｐ及び外力受け材との相互作用で定まるが、一例として通常の紙葉類の種別判断であるならば、０．１ｇｍ／ｓ．乃至１０ｇｍ／ｓ．程度の範囲が好適に用いられる。また、この外力印加は一回の信号出力にあたって複数、好ましくは外力の値を異なるものとして行う。このようにすることで、シート材の情報をより高精度で検出できる。
【００７９】
なお、本実施例では、カム２１２を段差を変えた２段式として、つまりカム２１２を大きい方のカム２１２ａと小さい方のカム２１２ｂとの２つのカムを備えたものとすることにより、モータ２１３による１回の回転で２回の異なった外力を印加できるようにしている。
【００８０】
そして、このようの２つのカム２１２ａ，２１２ｂを備えることにより、モータ２１３が１回転すると、例えばまず大きい方のカム２１２ａが突出部２１７と干渉して押圧部材２０をロッド２１７と一体で上方向に移動させ、カム２１２の係止が解除された瞬間にコイルスプリング２１０のバネ力によって押圧部材２０がロッド２１７と一体でシート材Ｐに衝突する。
【００８１】
次に、小さい方のカム２１２ｂが突出部２１７と干渉して押圧部材２０をロッド２１７と一体で上方向に移動させ、カム２１２ｂの係止が解除された瞬間にコイルスプリング２１０のバネ力によって押圧部材２０がロッド２１７と一体でシート材Ｐに衝突する。
【００８２】
この場合、大きい方のカム２１２ａと小さい方のカム２１２ｂとではコイルスプリング２１０の縮み距離が異なるので、シート材Ｐに加えられる外力が異なることとなる。なお、このようなカム２１２の駆動軸（すなわちモータの回転軸）には、別のカムを付与し、変位部材や補助変位部材を外力印加と連動して変位させることも好ましい。
【００８３】
また、本実施例では、変位部材４は押圧部材２０に対向する位置に配置されていて、変位部材４が外力を受けるように構成されている。さらに、本実施例においてシート材がトレイから供給される前に初期状態としてシート材のない場合のデータを処理装置に読み込んでおく。なお、この初期状態の読み込みは省略することもできる。
【００８４】
そして、本実施例では、以上の検出センサ３からの出力信号に対して、特定の領域の周波数成分を除去もしくは抽出する。なお、本工程は、所定の通過域を有するフィルタにより行う。
【００８５】
次に、本実施例におけるシート情報検出動作について説明する。
【００８６】
なお、本実施例ではシート材に印加する外力は、ステンレス鋼製で質量４ｇの押圧部材２０を、バネ力により０．４ｍ／ｓｅｃ．に加速してシート材に対して衝突させたものである。また、被シート材としては、普通紙（ゼロックス社  ＸＥＲＯＸ  ４０２４（７５ｇ）  以下ＸＸ７５と表記）、テクスチャー加工の施された紙（Ｋｉｍｂｅｒｌｙ−Ｃｌａｒｋ  Ｃｏｒｐｏｒａｔｉｏｎ社ＮＥＥＮＡＨ  Ｐａｐｅｒ  ＣＬＡＳＳＩＣ  Ｌａｉｄ  Ｗｒｉｔｉｎｇ  以下ＮＣＬ７５と表記）、ＯＨＰシート（住友スリーエム社  ＣＧ３３００  以下ＯＨＰと表記）の３種類を使用し、これら３種類のシート材についてシート情報検出動作を行った。
【００８７】
まず、下流側搬送ローラ１ｃ，１ｄによりシート材Ｐを搬送し、次に押圧部材２０によってシート材Ｐに外力を印加する。そして、その外力は、変位部材４を介してシート材からの出力信号として検出センサ３に伝わり、これに伴い検出センサ３からは図３の（ａ）に示すような信号が出力される。
【００８８】
次に、このような検出センサ３からの出力信号に対し、通過域を２ｋＨｚから１０ｋＨｚとして設計したバンドパスフィルタによって、図３の（ｂ）に示したようにシート材の質によって大きくレベルの異なる周波数成分のうち特定の領域の周波数成分を抽出する。そして、この後、シート材情報検出部１０２により、バンドパスフィルタからの出力信号に基づいて、例えばピークの電圧値などを読み取ることでシート材に関する情報を取得（検出）する。
【図面の簡単な説明】
【００８９】
【図１】本発明の実施の形態に係るシート材情報検出装置及びシート材処理装置の構成を示す図。
【図２】上記シート材情報検出装置におけるシート材情報検出動作を説明する図。
【図３】上記シート材情報検出装置における信号の取り扱いを説明する図。
【図４】上記シート材情報検出装置において制限部材を用いた例を示す図。
【符号の説明】
【００９０】
２                外力印加部
３                信号検出部
５                シート材情報検出部
２０              外力印加部材
１０１            フィルタ
１０２            シート材情報検出部
３０１            制限部材
Ｂ                紙種検出装置（シート材情報検出装置）
Ｃ                シート材処理部
Ｐ                シート材
【図１】
2005351676.tif 000003
【図２】
2005351676.tif 000004
【図３】
2005351676.tif 000005
【図４】
2005351676.tif 000006